Podtech/llm-jp-corpus-v4-ja_patent huggingface dataset:
(57)【要約】【課題】  ウエットティッシュやポケットティッシュ等は、袋や箱から引き出すと、折りたたまれていた状態が形をくずし広がってしまうため、使用によっては、その都度使いやすく折りたたまなければならなかった。本発明は、この面倒を解消するため、ティッシュの折り方を工夫するものである。【解決手段】  図１に示すよう、横折り（１）したティッシュを、図２に示すよう、中央で縦折り（２）の２分の１四角形とし、次にその右表側を左内側に３分の１折り（３）、それによって縦折り（２）部を中央に設け、それをティッシュ引き出すための摘まみ部とするもので、それによって、図２に示す状態の、四角形に折りたたまれたティッシュとして引き出され、そのまますぐにも使えるものとする。【選択図】図３
2013085943.tif 000002
【特許請求の範囲】
【請求項１】
図１に示すよう、横折り（１）長方形としたティッシュを、中央で縦折り（２）し、図２に示すよう、２分の１四角形とし、図３に示すよう、その右表側を左内側に３分の１折り（３）それによって中央となる縦折り（２）部を、指先の掴み部とするティッシュの折りたたみ方法。
【発明の詳細な説明】
【技術分野】
【０００１】  本発明は、ポケットティッシュやウエットティッシュ等の折り方法に関するものである。
【発明の概要】
【発明が解決しようとする課題】
【０００２】  従来、ポケットティッシュやウエットティッシュ等は、袋や箱内で折りたたまれていた状態が形をくずし広がって引き出されてくるため、使用上、それらティッシュを折り直さなければならない面倒があった。本発明は、これを解消するためのものである。
【問題を解決する手段】
【０００３】  本発明は、横折り（１）したティッシュを、中央で縦折り（２）し、図２に示すよう、２分の１の四角形とする。
次にその右端縦折り（２）部から左内側に３分の１折り（３）、図３に示すよう、その端（１）部を、中央に合わせる。
次に、このようにシンプルに折られたティッシュを、図４に示すよう、片方２分の１となる折り厚部（４）を、右方、左方と向きを上下交互に変えて積み重ね、袋または箱内にセットする。
【発明の効果】
【０００４】  図５に示すよう、袋内にセットされたウエットティッシュの掴み部となる縦折り（１）部が、袋等の表側中央の横長引き出し口の真下になるため、それによって、先に折った２分の１の四角形を広げることなく、ティッシュ取り出しができ、従来のように、引き出したティッシュを折り直す面倒がなく、そのまますぐにも使用することができ大変便利となる。
【図面の簡単な説明】
【０００５】
【図１】  横折り長方形としたティッシュ斜視図
【図２】  ２分の１折りしたティッツュ斜視図
【図３】  本発明ティッシュの折り方を示す斜視図
【図４】  ティッシュ積み重ねを示す斜視図
【符号の説明】
【０００６】  １  横折り
２  縦折り
３  右側３分の１折り
４  折り厚部
【図１】
2013085943.tif 000003
【図２】
2013085943.tif 000004
【図３】
2013085943.tif 000005
【図４】
2013085943.tif 000006
(57)【要約】      （修正有）【課題】ゴルフボールを打撃する上で、その正確度安定に役立つクラブヘッドを提供する。【解決手段】ヘッド３のフェース４上部等に極小のＬＥＤライト１を設け、その点灯をゴルフボールの中心に合わせ、それによって打撃位置の適性に役立てる。【選択図】図１
2013085944.tif 000002
【特許請求の範囲】
【請求項１】
ヘッド部に、ボールの中心に合わせるための極小電光部を設けたゴルフクラブ
【発明の詳細な説明】
【技術分野】
【０００１】  本発明ほ、ゴルフクラブに関するものである。
【発明の概要】
【発明が解決しようとする課題】
【０００２】  ゴルフボールを、的確な位置で打撃できるに役立つゴルフクラブのヘッドとする。
【課題を解決するための手段】
【０００３】  図１に示すよう、ヘッド（３）のフェース（４）寄りの上部中央もしくは、フェース（４）上部中央に、１ないし数個の赤色又は青色等の極小のＬＥＤライト（１）と、上部グリップ（５）等に、その点灯点滅スイッチ（２）を設ける。
【発明の効果】
【０００４】１．図２に示すよう、ゴルフボールを打撃しようとするさい、最も目視効果の高いヘッド部のＬＥＤライト（１）点灯し、そのＬＥＤライト（１）をボール中心に合わせることによって、雨天や曇天のようなあまり明るくない条件下等においても、適正な打撃を行うに役立つものである。
２．また、スイッチ切り替えによって、ＬＥＤライトを一定間隔の自動点滅にするなら、打撃しようとするさいの呼吸や間合いをその点滅に合わせることができ、それによって常時一定した間合いをもって、ボールを打撃するに役立つものである。
【図面の簡単な説明】
【０００５】
【図１】  本発明を示すゴルフクラブの斜視図
【図２】  本発明の使用を表すヘッド部の略図
【符号の説明】
【０００６】  １．ＬＥＤライト
２．スイッチ
３．ヘッド
４．フェース
５．グリップ
【図１】
2013085944.tif 000003
【図２】
2013085944.tif 000004
(57)【要約】      （修正有）【課題】ブラッシングの際ブラシにからまった毛を素早く取り除くこと。【解決手段】ブラシの背部にネットを取り付けブラシ部分にネットをかぶせブラッシングし、終ったらネットをブラシからはずす同時に毛もブラシからはずすことが出来る。【選択図】図３
2013085947.tif 000002
【特許請求の範囲】
【請求項１】
ブラシにネットを取り付ける
ネットの種類取付け方法についてはブラシの形状材質により適切で作業効率のよい方法にする。
【発明の詳細な説明】
【発明の概要】
【０００１】本発明はペット（犬猫他毛皮動物）のブラッシング手入れをした後、ブラシに絡まった毛を素早く取り除くためブラシの背部にネットを取付ける
【発明が解決しようとする課題】
【０００２】ブラシのみでブラッシングした場合ブラシに絡んだ毛をブラシから取除くために手間と時間が必要なのでこの手間と時間を短縮する方法を開発した。
【課題を解決するための手段】
【０００３】ブラシにネットを取付けてブラシにネットをかぶせた状態でブラッシングすることです。
【発明の効果】
【０００４】短時間で手入れが出来るので回数の増加が期待できペットを常にきれいに保つことができる
【図面の簡単な説明】
【０００５】
【図１】ブラシの背部にネットを取り付けた未使用の状態
【図２】ブラッシングするためネットをブラシにかぶせブラシのグリップとネットを一諸に握りブラッシングする
【図３】ブラッシング後ネットを持ち上げると同時に絡んだ毛も取り除かれる。
【図１】
2013085947.tif 000003
【図２】
2013085947.tif 000004
【図３】
2013085947.tif 000005
(57)【要約】【課題】従来のペーパーカッターのペーパー端部は、カッターとロール式トイレットペーパーとにぴったりと挟まれ、すき間が無いのでペーパーをつまみ出すのに不便である。といって、次の使用者のためにトイレットペーパーをつまみ出して折り曲げておくのは不衛生である。従来と同程度のコストでこの問題を解消したペーパーホルダーを提供する。【解決手段】ロール式ペーパー（６）と、カバー兼カッター（２）との間にカバー押し上げプレート（１）を設ける。カバー押し上げプレートプッシュ用スプリング（３）によってカバー押し上げプレート（１）を押すことにより、カバー兼カッター（２）を持ち上げて空間を形成していることを特徴とする。【選択図】図１
2013085940.tif 000002
【特許請求の範囲】
【請求項１】
ロール式ペーパー（６）を回転自在に保持する突起を突設したペーパーホルダー本体（４）と、そのペーパーホルダー本体（４）の上部に移動自在に形成したカバー押し上げプレート（１）をカバー押し上げプレートプッシュ用スプリング（３）により押し上げていることにより、カバー押し上げプレート（１）の上部に回転自在に形成したカバー兼カッター（２）が押し上げられることにより、カバー兼カッター（２）とロール式ペーパー（６）との間に、つまみ部分の紙が残る空間（５）を形成するペーパーカッター。
【請求項２】
請求項１記載のカバー押し上げプレート（１）を押し上げるための部品としてバランスウエイト、又は、磁石を使用。
【請求項３】
トイレットペーパーをはじめ、キッチンタオル、ラップ類からアルミ板など、紙やあらゆる材質の薄板の切断を目的とする請求項１記載のカッター。
【発明の詳細な説明】
【技術分野】
【０００１】本発明は、トイレットペーパーホルダーをはじめ、紙、薄板等のカッターに関するものである。
【背景技術】
【０００２】従来品は、カットすると紙はカッターの線で切れるので、次の使用者は引き出して使わなければならない。（例えば特許文献１参照）
また、次の使用者のため紙端を残せるトイレットペーパーホルダーもあるが、コストがかかりすぎる。（例えば特許文献２、３参照）
【先行技術文献】
【０００３】
【特許文献１】特開２００１−３７６７３
【特許文献２】特開２００２−２４８０６４
【特許文献３】特開平１０−３３４０８
【発明の概要】
【発明が解決しようとする課題】
【０００４】次の使用者のために紙端を引き出して折り畳んであるのをよく目にするが、手を洗わないままの、そのような心配りは大変不衛生であり、その必要のないものが望ましい。また、コストがかかりすぎては商品化が難しい。本発明は、以上のような欠点をなくすためになされたものである。
【課題を解決するための手段】
【０００５】ロール式ペーパー（６）とカバー兼カッター（２）との間にカバー押し上げプレート（１）を設置する。カバー押し上げプレートプッシュ用スプリング（３）に依って、カバー押し上げプレート（１）を押すことによりカバー兼カッター（２）を持ち上げている。本発明は以上の構成よりなるトイレットペーパーホルダー等の簡易カッターである。
【発明の効果】
【０００６】従来品のトイレットペーパーホルダーはカバー兼カッターとロール式トイレットペーパーとにペーパー端部がぴったりはさまれ、すき間が無い。そのため使用するときはカバー兼カッター（２）を持ち上げ、ペーパー端部がロール式トイレットペーパーに密着しているのをはがしてつまみ出す必要があった。本発明は、カバー兼カッターが使用しない時は常時、持ち上がっている。そのため、カバー兼カッターとロール式トイレットペーパーとの間に空間が形成される。そして、カバー押し上げプレートの端面よりペーパー端部が垂れ下がっているので、容易にペーパー端部をつまむことが可能な状態を提供するという装置である。
【図面の簡単な説明】
【０００７】
【図１】本発明の斜視図である。
【図２】カバー兼カッターが持ち上がった状態の同側面図である。
【図３】ペーパーをカットする状態の同側面図である。
【図４】図１の分解図である。
【発明を実施するための形態】
【０００８】以下、本発明を実施するための最良の形態について説明する。
実施例として、図１、図２、図３、図４によって、トイレットパーパーホルダーに基づいて説明する。
図１は、本発明の斜視図、図２は、カバー兼カッターが持ち上がった状態の同側面図、図３は、ペーパーをカットする状態の同側面図、図４は、図１の分解図である。
ペーパーの必要な分を引き出してペーパーを切り取ると、カバー兼カッター（２）が、持ち上がり、カバー兼カッター（２）とロール式ペーパー（６）との間に空間が出来る。
そして、符号（１）のカバー押し上げプレート端面よりペーパー端部が垂れ下がっているので、次に使用するときも容易にペーパー端をつまむことが可能な状態となる。
次に、この図面で使用しているカバー押し上げ用プッシュスプリング（３）は、この部品以外に、バランスウエイト、又は、磁石も使用可能。
【符号の説明】
【０００９】１  カバー押し上げプレート
２  カバー兼カッター
３  カバー押し上げプレートプッシュ用スプリング
４  ペーパーホルダー本体
５  カットしたあと、つまみ部分の紙が残る空間
６  ロール式ペーパー
【図１】
2013085940.tif 000003
【図２】
2013085940.tif 000004
【図３】
2013085940.tif 000005
【図４】
2013085940.tif 000006
(57)【要約】【課題】  外出時レジなどでお札を数える際に紙めくり剤を使いやすいように、小型で薄型のケースにスライドを設け、ケース内に紙めくり剤を設けたお財布用スライド式小型薄型ケース入り紙（お札）めくり剤を提供する。【解決手段】  小型で薄型のケース（１）にスライド（２）を設け、小型で薄型のケース（１）内に紙めくり剤を設けたお財布用スライド式小型薄型ケース入り紙（お札）めくり剤を特徴とする。【選択図】図２
2013085939.tif 000002
【特許請求の範囲】
【請求項１】
小型で薄型のケース（１）にスライド（２）を設け、小型で薄型のケース（１）内に紙めくり剤（３）を設けたお財布用スライド式小型薄型ケース入り紙（お札）めくり剤。
【発明の詳細な説明】
【技術分野】
【０００１】  この発明は小型で薄型のケースにスライドを設け、ケース内に紙めくり剤を設けたお財布用スライド式小型薄型ケース入り紙（お札）めくり剤に関するものである。
【背景技術】
【０００２】  従来、紙めくり剤はフタと入れ物が別々になっていた。
また、携帯用とされていてもお財布には入らない大きさであった。
【発明の概要】
【発明が解決しようとする課題】
【０００３】  これは、このような欠点があった。
従来、紙めくり剤はお財布の小銭入れに入れるには大きすぎるため、お財布とは別々に持ち歩かなければならなかった。
持ち運んだ際フタと入れ物が別々になっているため外出先では開けるのに手間取ったり、フタを落としたりして困ることが多かった。
フタと入れ物が一体になっているものでもカバンの中で見つからず困ることが多かった。
紙めくり剤が外出先では使いづらいため、財布のお札をめくるとき指を舐めなくてはならず不潔で人目も気になった。
本発明は、以上のような欠点をなくすためになされたものである。
【課題を解決するための手段】
【０００４】  小型で薄型のケース（１）にスライド（２）を設け、小型で薄型のケース（１）内に紙めくり剤（３）を設ける。
本発明は、以上の構成よりなるお財布用スライド式小型薄型ケース入り紙（お札）めくり剤である。
【発明の効果】
【０００５】  ケースが小型で薄型のためお財布の小銭入れに入れるのに適している。
そのため探す手間が省ける。
また、片手でケースをスライドさせて開けられるため、使いたいとき簡単スピーディーに使用できる。
そのためレジなどの人前で指を舐めたりせずに済み、また、フタを落として探さなくてよくなる。
したがって、お札を数えるのに苦労したり、支払いすぎたりしないで済むようになる。
【図面の簡単な説明】
【０００６】
【図１】  本発明の斜視図である。
【図２】  本発明の開けた状態を示した斜視図である。
【発明を実施するための形態】
【０００７】  以下、本発明を実施するための形態について説明する。
１０円玉を横に２枚並べた位の小型で、１０円玉を３枚重ねた位の薄型のプラスチック製の小型で薄型のケース（１）に、スライド（２）を設ける。
その小型で薄型のケース（１）内に紙めくり剤（３）を設ける。
本発明は以上のような構造である。
これを使用するときは、レジなどの順番を待つ間にお財布の小銭入れからケースを取出し、片手でケースをスライドさせて開け、ケースを開けた指に紙めくり剤をつけてお札の数を数えればよい。
【符号の説明】
【０００８】    １  小型で薄型のケース
２  スライド
３  紙めくり剤
【図１】
2013085939.tif 000003
【図２】
2013085939.tif 000004
(57)【要約】【課題】  現在ある矯正用のポジショナーゲージは、アメリカ白人の成人用のものであり、日本人や子供の治療には限界があるのでその改善。【解決手段】  日本人の歯と子供の歯に必要な大きさに合う高さ（ハイト）のものをつくり、これを加えることにより、歯科矯正治療の正確性と応用範囲が広がり、一体型のものを分割方式にすることにより使用範囲と使い勝手を改良した。【選択図】図１
2013085931.tif 000002
【特許請求の範囲】
【請求項１】
歯科における歯列矯正において歯にブラケットをつけるときの高さ（ハイト）を決定するためのゲージであり、１つのプレート（板）に３．０ミリと３．５ミリ、３．５ミリと４．０ミリ、４．０ミリと４．５ミリ、４．５ミリと５．０ミリ、５．０ミリと５．５ミリというように、高さ（ハイト）に０．５ミリの差をつけたプレート（板）とピンにより位置決定するため、数組を組み合わせたゲージである。
【請求項２】
ゲージにおける高さ（ハイト）の数字に３ミリと５．５ミリを加えたもの。
【発明の詳細な説明】
【技術分野】
【０００１】  本発明は、矯正治療において歯にブラケットをつける際に高さ（ハイト）を決定するために用いるゲージである。
【背景技術】
【０００２】  従来、一つのゲージに３．５ミリから５ミリまでのゲージはあった。
【発明の開示】
【発明が解決しようとする課題】
【０００３】  そのために、次のような問題点があった。
１．従来のゲージはアメリカ白人の成人の顎と歯を基準にしたものであり、４つの高さ（ハイト）しかない。
２．日本人の顎と歯はアメリカ白人と違いがあり、成人だけでなく子供の治療にも用いることもあり、３．５ミリから５ミリでは全てをカバーできない。
本発明はこれらの問題点を解決するためになされたものである。
【課題を解決するための手段】
【０００４】  （イ）日本人向けの高さ（ハイト）と子供の高さ（ハイト）などを考慮し、３ミリから、症例によっては計測できるように５．５ミリも加えた。
（ロ）一体型のものより、１本のゲージに３ミリと３．５ミリというように０．５ミリの差をつけ数本に分け、必要に応じたものを使用するという方が使用勝手も良い。
【発明の効果】
【０００５】  日本人と子供の治療がすべてカバーできる矯正用ゲージであり、極めて便利である。
一体型より分けて使い易くした。
【発明を実施するための最良の形態】
【０００６】以下、本発明の実施形態について説明する。
（イ）プレート（板）（１）の上に垂直に棒をつけ、その先にピンをつける。
（ロ）ピンの先は画びょうのピン状になっていて、プレート（板）の両端についている。
（ハ）プレート（板）からピンまでの距離が一方を３ミリとし、一方を３．５ミリというように０．５ミリの差をつけている。
（ニ）数本の組み合わせになっていて、適した高さ（ハイト）のものを使用する。
【図面の簡単な説明】
【０００７】
【図１】本発明の斜視図
【図２】本発明の使用方法
【図３】数本の組み合わせにしている
【図４】従来のポジショナーの斜視図
【符号の説明】
【０００８】１．プレート（板）
２．棒
３．ピン
４．ブラケット
５．歯
【図１】
2013085931.tif 000003
【図２】
2013085931.tif 000004
【図３】
2013085931.tif 000005
【図４】
2013085931.tif 000006
(57)【要約】【課題】従来の、モップ付きスリッパは使用後、本体のスリッパも洗濯するか、専用のモップに交換する手間と費用が必要だった。【解決手段】スリッパの四方に、雑巾を挟み込める隙間を設け、任意の雑巾を、指先で容易に着脱できることで、本体のスリッパの洗濯の手間や、専用モップの購入費用を節約できることを特徴とする掃除スリッパ。【選択図】図１
2013085925.tif 000002
【特許請求の範囲】
【請求項１】
スリッパの四方に指先で容易に押し込む事ができるように、任意の雑巾などを挟み込む隙間を設けた、着脱自在の掃除スリッパ。
【発明の詳細な説明】
【技術分野】
【０００１】  本発明は、任意の雑巾を取り付け、床掃除をするスリッパに関するものである。
【背景技術】
【０００２】  従来、床掃除は腰を屈め手で雑巾などで拭くか、モップなどの掃除具が知られている。
【先行技術文献】
【０００３】
【特許文献１】特開２００７−７５５７２号公報
【特許文献２】特開２００６−２１８２４４号広報
【発明の概要】
【発明が解決しようとする課題】
【０００４】  モップ付きスリッパの場合、掃除後スリッパも洗濯するか、専用のモップに交換する必要があるため、洗濯の手間と、専用モップの費用がかかる。
本発明は、以上の問題点を解決するためになされたのものである。
【課題を解決するための手段】
【０００５】  スリッパに、任意の雑巾やボロ布、古着などを容易に着脱できるスペースを設け、挟みこむ。
以上の構成よりなる掃除スリッパ。
【発明の効果】
【０００６】  スリッパの洗濯が不要になり、専用モップも不要となるため、手間と費用が節約できる。雑巾を未装着時は普通のスリッパとして使用できる。
【図面の簡単な説明】
【０００７】
【図１】本発明の斜視図
【図２】本発明の分解図
【図３】本発明の断面図
【図４】本発明の雑巾取り付け時の断面図
【発明を実施するための形態】
【０００８】  以下、本発明の実施の形態を説明する。
（イ）スリッパ（１）に雑巾取り付け材上部（２）と、下部（３）の固定部分（４）を固定し、雑巾取り付けるスペースを設ける。
（ロ）雑巾取り付け材上部（２）と下部（３）との隙間に、雑巾（５）を挟み込み固定する。
本発明は以上のような構造である。
本発明を使用するときは、雑巾取り付材上部（２）と下部（３）との隙間に、任意の雑巾（５）を挟み込み、スリッパ（１）を履き、床掃除やワックス掛け、仕上げの乾拭きなど、楽な姿勢で行える。
【符号の説明】
【０００９】１スリッパ、２雑巾取り付け材上部、３雑巾取り付け材下部、４（２）と（３）との固定部分、５雑巾
【図１】
2013085925.tif 000003
【図２】
2013085925.tif 000004
【図３】
2013085925.tif 000005
【図４】
2013085925.tif 000006
(57)【要約】      （修正有）【課題】方形状のシートの周辺に沿って、薬等の転落を防止するために、シートの周辺部に凹凸部を設けたことを特徴とする薬等の転落防止シートを提供する。【解決手段】薬種が多い高齢の方でも安心して服用分を揃えるのに役に立つよう、薬袋より薬を押し出す際に、方形状の転がり防止シート１を広げシート１の中央部に袋より薬を指で押し出し、１回服用分を揃える方形状の転がり防止シート１に周辺部２に凹凸部３を設けたことを特徴とする。【選択図】図１
2013085930.tif 000002
【特許請求の範囲】
【請求項１】
シート（１）の周辺部（２）に凹凸部（３）を設けたことを特徴とする薬等の転がり防止シート。
【発明の詳細な説明】
【技術分野】
【０００１】  本発明は、方形状のシートの周辺に沿って、薬等の転落を防止するために、シートの周辺部に凹凸部を設けたことを特徴とする薬等の転落防止シートに関するものである。
【背景技術】
【０００２】  従来、薬は袋より取り出した後、指で押し出していた。
【発明の開示】
【発明が解決しようとする課題】
【０００３】  これは、次のような欠点があった。
高齢になるにつれ薬種も多くなるため落ちて転がったのに気づかずにいるのが実情であった。
本発明はこれらの欠点を解決するためになされたものである。
【課題を解決するための手段】
【０００４】  上記問題を解決するために、本発明は、方形状の転がり防止シート（１）の周辺部（２）に沿って凹凸部（３）を設けたことを特徴とする転がり防止シートである。
【発明の効果】
【０００５】  本発明の転がり防止シートは、薬種が多い高齢の方でも安心して服用分を揃えるのに役に立つ。
【図面の簡単な説明】
【０００６】
【図１】  本発明の斜視図である。
【図２】  本発明の使用状態を示した説明図である。
【発明を実施するための実施の形態】
【０００７】  以下、本発明の実施の形態を図面で説明する。
（イ）シート（１）の回りの周辺部（２）に凹凸部（３）を設ける。
（ロ）シート（１）の中央部は凹凸部（３）を設けず平面とする。
以上のような構成により転がり防止シートである。
本発明の使い方を説明する。
シート（１）を広げシート（１）の中央部に袋より薬を指で押し出し、１回服用分を揃える。
【０００８】    １  転落防止シート
２  周辺部
３  凹凸部
【図１】
2013085930.tif 000003
【図２】
2013085930.tif 000004
(57)【要約】【課題】  集合郵便受箱の各戸の郵便受箱のチラシ等を施錠されていても施錠とは関係なく整理が出来る様に施す。【解決手段】  図２に示すように前入れ・前出し四戸口郵便・チラシ区分型集合郵便受箱の各戸の郵便受箱２の内部を区画板３で区画し専用の郵便物投入口・取出口付扉４チラシ等投入口・取出口５チラシ等が脱落しない用チラシ脱落防止６を装着する。【選択図】図２
2013085928.tif 000002
【特許請求の範囲】
【請求項１】
集合郵便受箱の各戸の郵便受箱の内部を区画し区画ごとに専用の投入口・取出口を設けたことを特徴とする郵便・チラシ等区分型集合郵便受箱。
【発明の詳細な説明】
【技術分野】
【０００１】  本発明は集合郵便受箱の各戸の郵便受箱の内部を区画し区画ごとに専用の投入口・取出口を設け郵便物とチラシ等を区分する郵便・チラシ区分型集合郵便受箱に関するものである。
【背景技術】
【０００２】  従来集合郵便受箱の各戸の郵便受箱は同じ区画に郵便物とチラシ等が投入されるため混在した状態である。
【発明が解決しようとする課題】
【０００３】    そのために次の問題点があった。
集合郵便受箱の各戸の郵便受箱に郵便物とチラシ等が在室者の郵便受箱の他、空室の郵便受箱も投入口までチラシ等で溢れ錠を各戸ごとに開錠し整理しなければならない。又在室者郵便受箱でも無関心な人も増え空室同様に投入口まで溢れ整理するにも開錠には所有者の承諾を必要とし不在の場合特に整理が出来ない。
【発明が解決するための手段】
【０００４】  そこで集合郵便受箱の各戸の郵便受箱の内部を区画し区画ごとに専用の投入口・取出口を設ける。前入れ・前出し又は前入れ・後出しでもよい。
【発明の効果】
【０００５】  本発明の郵便・チラシ区分型集合郵便受箱の場合、郵便物の投入口・取出口とチラシ等の投入口・取出口が別で収納される区画も別で郵便物とチラシ等が混在しないため在室者の郵便物とは別に郵便受箱のチラシ区画のチラシ等の撤去整理は所有者の承諾をあらかじめ得ていれば容易に出来る又空室の郵便受箱の錠を開けずチラシ区画のチラシ等も撤去整理が容易に出来管理上も利点がある。
【発明を実施するための最良の形態】
【０００６】  以下本発明の実施の形態について説明する。
前入れ・前出し四戸口郵便、チラシ区分型集合郵便受箱１の各戸の郵便受箱２の内部を区画板３で区画し専用の郵便物投入口・取出口付扉４とチラシ等投入口・取出口５チラシ脱落防止６でなる。
本発明は以上の構成よりなっている。
これを使用する時は
「第１実施例」
図１に示すように前入れ・前出し四戸口郵便・チラシ区分型集合郵便受箱１の各戸の郵便受箱２の内部を区画板３で区画し専用の郵便物投入口・取出口付扉４チラシ等投入口・取出口５チラシ等が脱落しない用チラシ脱落防止６を装着する。
【図面の簡単な説明】
【０００７】
【図１】  本発明の前方斜め実施例図
【図２】  本発明の各戸郵便受箱断面図
【符号の説明】
【０００８】１    前入れ・前出し四戸口郵便チラシ等区分型集合郵便受箱
２    各戸の郵便受箱
３    区画板
４    郵便物投入口・取出口付扉
５    チラシ等投入口・取出口
６    チラシ脱落防止板
７    錠
８    天板
９    床板
１０  郵便区分スペース
１１  チラシ等区分スペース
【図１】
2013085928.tif 000003
【図２】
2013085928.tif 000004
(57)【要約】【課題】     食の分野では、昔の作物からは遥かに栄養素が劣り、形だけは同じだが、作物自体の力の無い物を食しているのが現状だ。更に食文化の変化により豊色多食により、生体のバランスは著しく偏ったものとなり、生活習慣の上で、避けられないものとなっている。それにより生活習慣病と呼ばれ、ひと昔には無い難病奇病が多発している現状である。【解決手段】     古来より甘草は百薬の毒を消すと云われている。まず現代人の食の汚染（有害物質）の排泄を促し、小麦胚芽と大豆で体を整え体力をつけ、パンプキンでホルモンバランスをとる。乳酸菌で整腸をし、更に生命活動に必要な代謝酵素を補うことを目的にビール酵母を入れた。【選択図】  なし【特許請求の範囲】
【請求項１】
３，０００〜４，０００年伝承されてきた自然の食材（甘草、小麦胚芽、大豆、パンプキン）を、低温（３５℃〜３８℃）で乾燥し、微粉末にし、ビール酵母粉と粉末乳酸菌とオリゴ糖を加えブレンド配合し、食用澱粉を加え顆粒の黄汁とし、１包づつ窒素充填した。
【発明の詳細な説明】
【背景技術】
【０００１】
現在世間に出ているものには単体として、トマトジュース、人参ジュース等が主流であるが、いずれも生体的に考えるとバランスに欠ける。
【先行技術文献】
【特許文献】
【０００２】
【特許文献１】特開２００１−１１２４５０号公報
【発明の概要】
【０００３】
中国３０００〜４０００年の陰陽五行説に基づき、五色をベースにした青（緑）、赤、黒、白、黄の粉末清涼飲料として、前回申請の三種（赤、黒、緑）に加え、白、黄汁を出す。現代人の有害物質排泄、野菜不足、酵素不足、整腸作用を目的とする。         
【発明が解決しようとする課題】
【０００４】
現在の便利社会は多量に生産でき、収入に繋がれば良いと云った目先を追う商品群が多い結果、農薬、化学肥料、食品添加物漬けの汚染大国となり、人体はおろか、自然の生体の持つ自然治癒力や回復力を妨げる結果となっている。食の分野では、昔の作物からは遥かに栄養素が劣り、形は同じだが、力の無い作物を食しているのが現状だ。更に食文化の変化により豊色多食により、豊色多食により、生体のバランスは著しく偏ったものとなり、生活習慣の上で、避けられないものとなっている。それにより生活習慣病と呼ばれ、ひと昔には無い難病・奇病が多発している現状である。食は＝生命であることを忘れている。
【課題を解決するための手段】
【０００５】
古来より甘草は百薬の毒を消すと云われている。まず現代人の食の汚染（有害物質）の排泄を促し、小麦胚芽と大豆で体を整え体力をつけ、パンプキンでホルモンバランスをとる。乳酸菌で整腸をし、更に生命活動に必要な代謝酵素を補うことを目的にビール酵母を入れた。
【発明の効果】
【０００６】
ＳＯＤ効果、体質改善により酸性体質がアルカリ体質へと導かれ、栄養のバランスも整い、体調が変わった。
【実施例】
【０００７】
１袋に１回分３．５ｇを１５０〜１８０ｃｃの水、又はぬるま湯、又は牛乳、又は豆乳等で混ぜ、１日３回を目的に愛用してもらう事を条件とした。
(57)【要約】【課題】     食の分野では、昔の作物からは遥かに栄養素が劣り、形だけは同じだが、作物自体の力の無い物を食しているのが現状だ。更に食文化の変化により豊色多食により、生体のバランスは著しく偏ったものとなり、生活習慣の上で、避けられないものとなっている。それにより生活習慣病と呼ばれ、ひと昔には無い難病奇病が多発している現状である。【解決手段】     有害重金属などの有害物質の排泄にキチン・キトサン、ハトムギ、タマネギで浄化を行い、精をつけるハスの実を加えた。更に整腸作用の乳酸菌を入れ、生命活動に必要とする酵素をビール酵母で補う。【選択図】  なし【特許請求の範囲】
【請求項１】
３，０００〜４，０００年伝承されてきた自然の食材（ハス、キチン・キトサン、タマネギ、ハトムギ）を、低温（３５℃〜３８℃）で乾燥し、微粉末にし、ビール酵母粉と粉末乳酸菌とオリゴ糖を加えブレンド配合し、食用澱粉を加え、顆粒の白汁とし、１包づつ窒素充填した。
【発明の詳細な説明】
【背景技術】
【０００１】
現在世間に出ているものには単体として、トマトジュース、人参ジュース等が主流であるが、いずれも生体的に考えるとバランスに欠ける。
【先行技術文献】
【特許文献】
【０００２】
【特許文献１】特開２００１−１１２４５０号公報
【発明の概要】
【０００３】
中国３０００〜４０００年の陰陽五行説に基づき、五色をベースにした青（緑）、赤、黒、白、黄の粉末清涼飲料として、前回申請の三種（赤、黒、緑）に加え、白、黄汁を出す。現代人の有害物質排泄、野菜不足、酵素不足、整腸作用を目的とする。         
【発明が解決しようとする課題】
【０００４】
現在の便利社会は多量に生産でき、収入に繋がれば良いと云った目先を追う商品群が多い結果、農薬、化学肥料、食品添加物漬けの汚染大国となり、人体はおろか、自然の生体の持つ自然治癒力や回復力を妨げる結果となっている。食の分野では、昔の作物からは遥かに栄養素が劣り、形は同じだが、力の無い作物を食しているのが現状だ。更に食文化の変化により豊色多食により、豊色多食により、生体のバランスは著しく偏ったものとなり、生活習慣の上で、避けられないものとなっている。それにより生活習慣病と呼ばれ、ひと昔には無い難病・奇病が多発している現状である。食は＝生命であることを忘れている。
【課題を解決するための手段】
【０００５】
有害重金属などの有害物質の排泄にキチン・キトサン、ハトムギ、タマネギで浄化を行い、精をつけるハスの実を加えた。更に整腸作用の乳酸菌を入れ、生命活動に必要とする酵素をビール酵母で補う。
【発明の効果】
【０００６】
ＳＯＤ効果、体質改善により酸性体質がアルカリ体質へと導かれ、栄養のバランスも整い、体調が変わった。
【実施例】
【０００７】
１袋に１回分３．５ｇを１５０〜１８０ｃｃの水、又はぬるま湯、又は牛乳、又は豆乳等で混ぜ、１日３回を目的に愛用してもらう事を条件とした。
(57)【要約】【課題】  従来の張り芝工法では、密着不足による枯損と踏圧、タイヤなどによる擦り切れ、固結が発生しやすい。これは、張り芝を芝生保護資材の中に転圧する施工方法が最大の原因である。解決するためには、芝生保護資材と土壌との天端高さの関係を最適化するとともに、土壌の最適化を図る必要がある。また、張り芝工法は、芝生のカット作業や投入済みの土壌の高さ調整に時間と工数がかかる。【解決手段】  バミューダグラス武蔵ＭＵ-34もしくは同等特性の芝種のストロン苗を使用し、培養土とクリンカアッシュを配合した土壌を使用することにより、施工時間の短縮、施工後の維持管理を容易にする。  この工法では、容易に保護資材の天端高さより土壌高さを下げることができ、擦り切れ固結を防ぐことができる。これは、ストロン苗を撒いた後に、土壌を被せることによる。また、土壌の沈下の均一性は土壌の配合による。【選択図】なし【特許請求の範囲】
【請求項１】
芝生保護資材にストロン苗を使用する芝生の施工方法
【発明の詳細な説明】
【技術分野】
【０００１】
この発明は、駐車場をはじめとする芝生の緑化工法である。
【背景技術】
【０００２】
従来の工法は、保護資材に土壌を充填し、張り芝工法によるものと種子吹付け工法によるものがある。
張り芝工法は、土壌と芝生の密着不足による枯損。擦り切れ、土壌固結による枯損が解決できなかった。
また、保護資材の形状に合わせ、芝生を切って加工する施工時間がかかった。もしくは、保護材に突き刺さるように転圧する商品では、転圧の工程で時間と機械輸送のコストがかかった。
種子吹付け工法は、芝種が芝丈が長く維持管理のコストが解決できなかった。
【先行技術文献】
【非特許文献】
【０００３】
【非特許文献１】非特許文献n
【発明の概要】
【発明が解決しようとする課題】
【０００４】
密着不足による枯損と擦り切れ、固結を解決するため、芝生保護資材と土壌との天端高さの関係を最適化するとともに、土壌の最適化を図る必要がある。
【課題を解決するための手段】
【０００５】
芝生保護材の中に充填する土壌は、培養土にクリンカアッシュもしくは同等の粒状の保水性を備える資材を混合したものを使用する。クリンカアッシュもしくは同等の粒状の保水性を備える資材の配合割合は４０％から８０％とする。
芝生は、バミューダグラス武蔵ＭＵ-34のストロン苗もしくは同等の特性を持つ芝種のストロン苗を使用する。ストロン苗とは、洗浄苗を指す。
施工手順は、以下の通りとする。
0.芝生保護資材はすでに施工済みである。
１．芝生保護資材の土壌部分深さが４５mm以上ある資材にはあらかじめおおむね芝生保護材の天端から５０ｍｍから３０ｍｍの深さまで土壌を投入する。
２．ストロン苗を１平方メートルあたり１００gから１５０g保護資材の上から撒き、保護材の中に収める。
３．土壌をかぶせ、保護資材天端で均し、粒状肥料を撒く。
４．散水を行い、土壌を沈下させる。
【発明の効果】
【０００６】
この発明により得られる効果は以下の通りである。
１．施工時間の短縮
張り芝と比較し、芝生のカット作業、転圧作業がなく、投入済み土壌の面倒な高さ調整がない
２．保護資材と土壌の高さの適正化
張り芝工法では保護資材の天端までしか芝生の地下と地表の際の部位が下がらないが、この工法では、適切な土壌特性と散水による沈下で容易に適切に保護資材の天端高さより土壌高さが１ｍｍから3mm程度下げることができ、擦り切れ固結を防ぐことができる。
３．施工後の維持管理の軽減
適切な芝種の採用により、散水頻度、芝刈頻度、施肥頻度が大幅に軽減できる。
【発明を実施するための形態】
【０００７】
踏圧、擦り切れ、形状変形を加味する場所、部位への芝生化
【実施例】
【０００８】
・駐車場芝生化
・広場、公園芝生化
・校庭芝生化
・屋上芝生化
・壁面芝生化
・園路芝生化
・ドッグラン芝生化
・インテリア
・鉢植え
【産業上の利用可能性】
【０００９】
緑化工事
既存の駐車場や車道や園路の緑化改修工事
従来芝生化や緑化が難しかった場所、部位への緑化工事
(57)【要約】【課題】特開２００４−１９４６０３及び市販品、先端が二股形状を問題解決しようとしたもので、上記なものだと、使用した場合、手首が返す際地面にあたってしまい、二股に分かれている形状は、芝生のような芽の細かい所は、芝生を傷つけていまい、不可能だった。本発明は、草取りをするための草取り具を提供する。【解決手段】内部を中空にした一本の筒状を設け、先端を斜め状に切除し、切断面は楕円状の刃部を設け、刃部に囲まれたすくい部を設けて、本体、長手方向の中央に角度を５〜４５°に曲折を設けた特徴とする草取り具。【選択図】図１
2013085548.tif 000002
【特許請求の範囲】
【請求項１】
内部を中空にした一本の筒状を設け、先端を斜め状に切除し、切断面は楕円状の刃部を設け、刃部に囲まれたすくい部を設けて、本体、長手方向の中央に角度を５〜４５°に曲折を設けた草取り具。
【発明の詳細な説明】
【技術分野】
【０００１】  本発明は、本体の先端部に芝生の中の雑草やひげのような草、固い土に生えている雑草など、堀り取り用の刃をつけ、草取りしやすいように、握り部分に角度をつけるなどの草取り具に関するものである。
【背景技術】
【０００２】  従来は、芝生又は固い土など草取りするためには、主に素手又は、先端部が二股に分かれていた草取り具を利用して取っていた。
なお、金属管の先端部に雑草類掘り取り用の刃を形成した草取り具が知られている。（特許文献１参照）
【先行技術文献】
【０００３】
【特許文献１】特開２００４−１９４６０３号公報
【発明の概要】
【発明が解決しようとする課題】
【０００４】  本発明は、上記及び市販品、先端が二股形状を問題解決しようとしたもので、上記なものだと、使用した場合、手首が返す際地面にあたってしまい、二股に分かれている形状は、芝生のような芽の細かい所は、芝生を傷つけていまい、不可能だった。
本発明は、以上の問題を解決するためになされたものである。
【課題を解決するための手段】
【０００５】  本発明は、内部を中空にした一本の筒状を設け、先端を斜め状に切除し、切断面は楕円状の刃部を設け、刃部に囲まれたすくい部を設けて、本体、長手方向の中央より後端を上向に角度を５〜４５°に曲折を設ける。
以上の構成よりなる草取り具。
【発明の効果】
【０００６】  従来の草取り具より芝生のような芽の細かい草取りを本発明により可能にし、本体を曲げたことでスムーズに草取りをすることができ解決する。
【図面の簡単な説明】
【０００７】
【図１】本発明の斜視図
【図２】本発明の断面図
【図３】本発明の使用状態を示す斜視図
【図４】本発明の使用状態を示す斜視図
【発明を実施するための形態】
【０００８】  以下、本発明の実施の形態を説明する。
（イ）本体（１）は、内部を中空にした一本の筒状からなる。
（ロ）先端を斜め状に切除し、切断面は楕円状の刃部（３）を形成する。
（ハ）刃部（３）に囲まれる中心部をすくい部（４）とする。
（ニ）本体（１）の長手方向の中央に上方向へ向けて、角度部（５）を５°〜４５°に曲折させた角度部（５）を設ける。最適、曲折角度は、３０°である。
本発明は以上のような構造である。
本発明を使用するときは、握り部（６）を手で握りしめ、草が生えている場所に先端部（２）を突き刺し、刃部（３）、すくい部（４）で、草を取る。
このときに一緒に土も取れるので、パイプ内部に通して、握り部（４）側に吐き出す。
【符号の説明】
【０００９】  １本体、２先端部、３刃部、４すくい部、５角度部、６握り部
【図１】
2013085548.tif 000003
【図２】
2013085548.tif 000004
【図３】
2013085548.tif 000005
【図４】
2013085548.tif 000006
(57)【要約】      （修正有）【課題】温かい牛乳と混合し、温かい状態でゲル化するゲル状食品を簡便に調製できるゲル状食品用ベースを提供する。【解決手段】温かい牛乳と混合し、温かい状態でゲル化するゲル状食品を調製することが可能なゲル状食品用ベースを、酵素を利用して脱エステル化したLMペクチンを使用して製造する。【選択図】なし【特許請求の範囲】
【請求項１】
温めた牛乳と混合することによって温かい状態で喫食できるゲル状食品を調製することを特徴とするゲル状食品用ベース。
【請求項２】
酵素を用いて脱エステル化したLMペクチンを含有する請求項１記載のゲル状食品用ベース。
【発明の詳細な説明】
【技術分野】
【０００１】
本発明はゲル状食品に関する。更に詳細には、温めた牛乳と混合することで、温かい状態でゲル化するゲル状食品を調製することが可能なゲル状食品用ベースに関するものである。
【背景技術】
【０００２】
従来からペクチンを利用したゲル状食品用ベースと冷たい牛乳を混合して、酸性ゲル状デザートを調製できることが知られている。例えば、LMペクチン、糖類、有機酸、及び有機酸塩からなり、ｐHを３．８〜４．３に調節したベースと牛乳などのカルシウムを含有する液体を混合することによって酸性ゲル状デザートを製造する方法(特公昭５９-４１０４号公報)が提案されている。
また、従来ではカルシウム含量が少なくゲル化が難しかった果汁飲料用に、酵素で脱エステル化をしたLMペクチンを利用したゲル状食品用ベースの製造方法（特開２００９-２７９２９号公報）が提案されている。
【０００３】
しかし、従来のゲル状食品用ベースは冷たい牛乳等と混合することで適度な硬さのゲルを形成するものであり、温かい状態ではゲル化しない、またはゲルが非常に弱くなるため、温かい状態での喫食には適さないものであった。
【発明の開示】
【発明が解決しようとする課題】
【０００４】
本発明は温めた牛乳と混合後、温かい状態でもゲル化するゲル状食品を調製するゲル状食品用ベースを提供することを目的とするものである。
【課題を解決するための手段】
【０００５】
本発明者らは、上記問題点を解決すべく鋭意検討を行った結果、酵素を利用して脱エステル化したLMペクチンを使用することで、温めた牛乳と混合後温かい状態でゲル化するゲル状食品を調製することが可能なゲル状食品用ベースを調製できることを見出した。
【発明の効果】
【０００６】
本発明により、温めた牛乳と混合するだけで、温かい状態で喫食できるゲル状食品を簡便に調製できるゲル状食品用ベースを提供できるという利点がある。
また、上記ゲル状食品用ベースは、ココア、コーヒー、紅茶などのパウダー、エキス、香料等を添加することで多様な味のミルクゲルデザートベースとして利用できるだけでなく、牛乳に限らず適量のカルシウムイオンを含む液体であればゲル状食品を調製することが可能な為、スープや出汁などをゲル化させた介護食への利用が期待できる。
更に、上記ゲル状食品用ベースはレトルト殺菌などの高温殺菌を施すことなく、常温での長期間保存が可能である。
【発明を実施するための最良の形態】
【０００７】
本発明においてゲル化剤として使用するＬＭペクチンは、分子量が大きく、かつ適度なカルシウム反応性を持つＬＭペクチンが適しており、特にＣＰ Kelco Ａｐｓ製  ＧＥＮＵ  Exploler  ３０CSが適しているが、同等のものであれば特に限定されるものではない。
【０００８】
本発明のゲル状食品用ベースは上記LMペクチンを１．０〜５．０重量％含有するが、好ましくは１．６〜２．５重量％含有する。
【０００９】
本発明ではゲル化剤としてＬＭペクチンを用いるが、他の増粘多糖類を併用することも出来る。増粘多糖類としては、HMペクチン、カラギナン、アルギン酸ナトリウム、アルギン酸プロピレングリコール、グァーガム、ローカストビーンガム、タラガム、キサンタンガム、タマリンドシードガム、アラビアガム、ジェランガム、寒天、大豆多糖類、デンプン等が挙げられるが、特に限定されるものではない。
【００１０】
本発明のゲル状食品用ベースは、ｐH調整剤としてクエン酸三ナトリウムを含有するが、これはゲル状食品用ベースのｐHを３．８〜４．０に調製するためのものであり、二価の金属イオン、特にカルシウムイオンを含まない塩類であれば上記以外の塩類もｐH調整剤として利用できる。
【００１１】
本発明のゲル状食品ベースには、本発明の効果を損なわない範囲で、砂糖、水飴、液糖等の糖質、アスパルテーム、スクラロース、アスセルファムカリウム等の甘味料、色素、香料、酸味料、保存料、ビタミン類等を適宜、添加することが出来る。
【実施例】
【００１２】
次に本発明のゲル状食品用ベースについて実施例及び比較例を挙げて説明するが、本発明はこれらによって、何ら限定されるものではない。
【００１３】
実施例１
（１）ゲル状食品用ベースの調製
LMペクチン（ＧＥＮＵ  Exploler  ３０CS）を１．６重量％と砂糖２８．４重量％、クエン酸三ナトリウム０．０４重量％を予め混合しておき、水６９．３１重量％に添加分散した後、沸騰するまで攪拌しながら加熱して、LMペクチンを完全に溶解した。水で全量が１００重量％となるように重量補正した後、容器に充填し、８５℃の湯浴中で１０分間殺菌した。
（２）ゲル状食品の調製
上記で調製したゲル状食品用ベースを室温に調温した。調温したゲル状食品用ベースを約８０℃に調温した等量の牛乳と混合し、２本のガラス棒で攪拌した。３０秒間攪拌した後に食したところ、滑らかな食感で且つ適度なゲルの硬さを有したゲル状食品となった。このゲル状食品用ベースは温めた牛乳と混合する際も、容易にかつ均一に混合することが出来た。
【００１４】
比較例１
実施例１で用いたLMペクチンをエステル化度の異なる数種類のLMペクチンに代えて、実施例１と同様の手順でゲル状食品用ベースを調製した。実施例１と同様の手順で温めた牛乳と混合した。
【００１５】
次に実施例１、比較例１で得られたゲル状食品の調製時の状態とゲルの状態を観察した。この結果を表１に示した。
【表１】
2013085543.tif 000002
【００１６】
表１から分かるように、ゲル化剤として酵素処理で脱エステル化を行ったLMペクチン(ＧＥＮＵ  Exploler  ３０CS)を使ったゲル状食品用ベースは、８０℃の牛乳と混合することによって、６０℃程度で滑らかな食感でかつ適度なゲルの硬さを有するゲル状ミルクデザートを得ることが出来た。
(57)【要約】【課題】  美観や強度を向上しつつ、スピーカからの音声発生を阻害することがない携帯端末用アクセサリを提供する。【解決手段】  金属製で、イヤホンジャックに挿入される円柱状の挿入部４と、挿入部４の露出側に設けられた装飾部３と、を備え、挿入部４の外周に、リング状の溝で、イヤホンジャックとの電気的導通を回避する回避部４３が形成されている。【選択図】  図１
2013085012.tif 000002
【特許請求の範囲】
【請求項１】
携帯端末のイヤホンジャックに装着される携帯端末用アクセサリであって、
金属製で、前記イヤホンジャックに挿入される円柱状の挿入部と、
前記挿入部の露出側に設けられた装飾部と、を備え、
前記挿入部の外周に、リング状の溝で、前記イヤホンジャックとの電気的導通を回避する回避部が形成されている、
ことを特徴とする携帯端末用アクセサリ。
【発明の詳細な説明】
【技術分野】
【０００１】
この発明は、スマートフォンなどの携帯端末のイヤホンジャックに装着される携帯端末用アクセサリに関する。
【背景技術】
【０００２】
近年、スマートフォンなどのイヤホンジャックにアクセサリを装着することで、全体の美観を向上させることが行われている。このようなアクセサリは、イヤホンジャックに挿入される棒状の挿入部と、挿入部の露出側にガラス細工などの装飾部が取り付けられたものであり、挿入部はプラスチック・樹脂で構成されている。また、イヤホンジャックのカバーに装飾部を設けることで、美観を向上させたものが知られている（例えば、特許文献１参照。）。
【先行技術文献】
【特許文献】
【０００３】
【特許文献１】実用新案登録第３０８８４９６号公報
【発明の概要】
【発明が解決しようとする課題】
【０００４】
ところで、上記のようなアクセサリでは、挿入部がプラスチック製であるため、光沢や重厚感がなく、美観が乏しい。しかも、プラスチック製であるため、イヤホンジャックへの抜き差しを繰り返すことで挿入部が劣化してしまう。一方、挿入部を金属製にすると、光沢や重厚感が得られ、美観を向上させることができるとともに、抜き差しによる劣化を防止・抑制することができる。しかしながら、挿入部を金属製にすると、イヤホンジャックの内部で電気的に導通し、スマートフォンなどのスピーカから音声が発生しなくなってします。つまり、イヤホンジャックにイヤホンが装着された状態と、同じ状態になってします。
【０００５】
そこでこの発明は、美観や強度を向上しつつ、スピーカからの音声発生を阻害することがない携帯端末用アクセサリを提供することを目的とする。
【課題を解決するための手段】
【０００６】
上記課題を解決するために、請求項１の発明は、携帯端末のイヤホンジャックに装着される携帯端末用アクセサリであって、金属製で、前記イヤホンジャックに挿入される円柱状の挿入部と、前記挿入部の露出側に設けられた装飾部と、を備え、前記挿入部の外周に、リング状の溝で、前記イヤホンジャックとの電気的導通を回避する回避部が形成されている、ことを特徴とする。
【発明の効果】
【０００７】
請求項１の発明によれば、挿入部が金属製であるため、光沢や重厚感が得られ、美観が向上するとともに、イヤホンジャックへの抜き差しによる劣化を防止・抑制することができる。また、イヤホンジャックとの電気的導通を回避する回避部が形成されているため、挿入部をイヤホンジャックに挿入しても電気的に導通することがなく、スピーカからの音声発生が阻害されない。しかも、回避部がリング状であるため、どの方向・位置から挿入部をイヤホンジャックに挿入しても、電気的導通を回避することができる。
【図面の簡単な説明】
【０００８】
【図１】この発明の実施の形態に係る携帯端末用アクセサリを示す正面図である。
【発明を実施するための形態】
【０００９】
以下、この発明を図示の実施の形態に基づいて説明する。
【００１０】
図１は、この発明の実施の形態に係る携帯端末用アクセサリ１を示す正面図である。この携帯端末用アクセサリ１は、スマートフォンや携帯電話などの携帯端末のイヤホンジャックに装着されるアクセサリであり、基部２と、装飾部３と、挿入部４とを備えている。
【００１１】
基部２は、円盤状で、挿入部４と一体的に形成され、この実施の形態では、基部２と挿入部４とは、ステンレス鋼で構成されている。
【００１２】
装飾部３は、ガラス製の装飾体で、この実施の形態では、ダイヤモンドのようなカットが施されている。このような装飾部３が、挿入部４の露出側の端部、つまり、基部２の反挿入部４側の面に配設されている。ここで、基部２と装飾部３との外径は、同径で、イヤホンジャックの内径・孔径よりも大きく、指で摘まめる大きさに設定されている。
【００１３】
挿入部４は、携帯端末のイヤホンジャックに挿入される略円柱体であり、リング状の溝（凹部）で、イヤホンジャックとの電気的導通を回避する回避部４３が形成されている。すなわち、基部２側である挿入基端部４１と、先端側である挿入先端部４２と、挿入基端部４１と挿入先端部４２との間に位置する回避部４３とから構成されている。
【００１４】
挿入基端部４１と挿入先端部４２との直径は、イヤホンジャックの内径とほぼ同径で、イヤホンジャックに適正に装着できるように設定されている。また、回避部４３の直径は、挿入基端部４１と挿入先端部４２の直径よりも小径で、その大きさと形成位置とは、イヤホンジャックとの電気的導通を回避できるように設定されている。つまり、挿入部４をイヤホンジャックに挿入した際に、挿入部４がイヤホンジャック内の導通部に接触しないように設定されている。
【００１５】
以上のように、この携帯端末用アクセサリ１によれば、挿入部４がステンレス鋼製であるため、光沢や重厚感が得られ、美観が向上するとともに、錆びや腐食がしにくく、しかも、イヤホンジャックへの抜き差しによる劣化を防止・抑制することができる。また、イヤホンジャックとの電気的導通を回避する回避部４３が形成されているため、挿入部４をイヤホンジャックに挿入しても電気的に導通することがなく、スピーカからの音声発生が阻害されない。つまり、イヤホンジャックにイヤホンが装着された状態と、同じ状態になることがない。しかも、回避部４３がリング状で、全周にわたって形成されているため、どの方向・位置から挿入部４をイヤホンジャックに挿入しても、電気的導通を回避することができる。つまり、方向を気にすることなく、挿入部４をイヤホンジャックに挿入することができる。
【００１６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、基部２と挿入部４とがステンレス鋼で構成されているが、アルミニウム合金や黄銅など、その他の金属で構成してもよい。また、装飾部３がガラス製の装飾体となっているが、その他の装飾体であってもよいことは勿論である。
【符号の説明】
【００１７】
１        携帯端末用アクセサリ
２        基部
３        装飾部
４        挿入部
４１      挿入基端部
４２      挿入先端部
４３      回避部
【図１】
2013085012.tif 000003